(57)【要約】【課題】トリマーユニットにより頬や顎下など弱い肌面のひげを剃るときに肌面を荒らすことのない電気かみそりを提供することにある。【解決手段】内刃４および外刃５からなる刃部を有する本体ケース１に、傾動可能にトリマーユニット７８が設けられている電気かみそりである。本体ケース１に、トリマーホルダー１０１が傾動可能に設けられており、このトリマーホルダー１０１にトリマーユニット７８が設けられている。トリマーユニット７８は、固定トリマー刃８０および可動トリマー刃８１からなるトリマー用刃部を含んでいる。トリマーユニット７８を刃部に向けて移動させて位置保持させた位置が、刃部とトリマー用刃部を接近させたコンビ剃り位置となっており、トリマーユニット７８を刃部から離れる向きに移動させて位置保持させた位置が、トリマー用刃部が刃部から離れたきわぞり位置となっている。トリマーユニット７８が、トリマーホルダー１０１に対して、往復移動可能に弾性支持されていることを特徴とする。【選択図】図１８
2015173796.tif 000002
【特許請求の範囲】
【請求項１】
内刃（４）および外刃（５）からなる刃部を有する本体ケース（１）に、傾動可能にトリマーユニット（７８）が設けられている電気かみそりであって、
本体ケース（１）に、トリマーホルダー（１０１）が傾動可能に設けられており、このトリマーホルダー（１０１）にトリマーユニット（７８）が設けられており、
トリマーユニット（７８）は、固定トリマー刃（８０）および可動トリマー刃（８１）からなるトリマー用刃部を含み、
トリマーユニット（７８）を刃部に向けて移動させて位置保持させた位置が、刃部とトリマー用刃部を接近させたコンビ剃り位置となっており、トリマーユニット（７８）を刃部から離れる向きに移動させて位置保持させた位置が、トリマー用刃部が刃部から離れたきわぞり位置となっており、
トリマーユニット（７８）が、トリマーホルダー（１０１）に対して、往復移動可能に弾性支持されていることを特徴とする電気かみそり。
【請求項２】
トリマーホルダー（１０１）が本体ケース（１）に対して回動可能に連結されることで、トリマーユニット（７８）が、本体ケース（１）に対して回動可能となっており、
トリマーユニット（７８）が、トリマーホルダー（１０１）に対して、同ホルダー（１０１）の軸線（１０１ａ）と同一方向に往復移動可能に弾性支持されていることを特徴とする請求項１に記載の電気かみそり。
【請求項３】
トリマーホルダー（１０１）が本体ケース（１）に対して回動軸（９４）を介して回動可能に連結されることで、トリマーユニット（７８）が、本体ケース（１）に対して回動可能となっており、
トリマーユニット（７８）が、トリマーホルダー（１０１）に対して、回動軸（９４）に向かう方向に往復移動可能に弾性支持されていることを特徴とする請求項２に記載の電気かみそり。
【請求項４】
コンビ剃り位置においては、トリマーユニット（７８）はトリマーホルダー（１０１）に対して往復移動可能となっており、
きわぞり位置においては、トリマーユニット（７８）はトリマーホルダー（１０１）に対して往復移動不可となっていることを特徴とする請求項１から３のいずれかひとつに記載の電気かみそり。
【請求項５】
トリマーユニット（７８）と本体ケース（１）との間に、きわぞり位置においてトリマーユニット（７８）の往復移動を規制する移動ロック構造が設けられており、
移動ロック構造が、トリマーユニット（７８）のトリマーベース（７９）に設けた接当部（１１７）と、本体ケース（１）に設けたロック部（１１８）とを備えており、
きわぞり位置において先の接当部（１１７）をロック部（１１８）で受止めて、トリマーユニット（７８）の移動を規制することを特徴とする請求項４に記載の電気かみそり。
【請求項６】
本体ケース（１）とトリマーホルダー（１０１）との間に、きわぞり位置におけるトリマーユニット（７８）の傾動を規制する傾動ロック構造が設けられていることを特徴とする請求項１から５のいずれかひとつに記載の電気かみそり。
【請求項７】
上記傾動ロック構造が、本体ケース（１）でスライド可能に支持されるロック体（１２０）と、ロック体（１２０）をロック付勢するロックばね（１２１）と、トリマーホルダー（１０１）に設けられてロック体（１２０）と係脱する係合部（１２２）と、ロック体（１２０）をロックばね（１２１）の付勢力に抗してロック解除操作する解除体（１２３）を含んで構成されていることを特徴とする請求項６に記載の電気かみそり。
【発明の詳細な説明】
【技術分野】
【０００１】
本発明は、トリマーユニットを備える電気かみそりに関する。
【背景技術】
【０００２】
この種の電気かみそりは、特許文献１に公知である。すなわち、外刃と内刃を含むメイン刃を有する本体部の側面に、同本体部に対して軸を介して前後回動自在にトリマーユニットが設けられている。トリマーユニットを、メイン刃に近接させるように回動させれば、コンビ剃りを行うことができ、トリマーユニットをメイン刃から離れるように回動させればトリマーユニット単独での使用が可能となる。
【先行技術文献】
【特許文献】
【０００３】
【特許文献１】実公昭５８−１８８４３号公報（図１）
【発明の概要】
【発明が解決しようとする課題】
【０００４】
特許文献１の電気かみそりは、メイン刃とトリマーユニットによるコンビ剃りやトリマーユニット単独使用によるきわ剃りを行うことができるが、コンビ剃り時において、頬や顎下など弱い肌面のひげを剃る場合、その肌面を荒らす虞れがある。
【０００５】
本発明の目的は、トリマーユニットにより頬や顎下など弱い肌面のひげを剃るときに肌面を荒らすことのない電気かみそりを提供することにある。
【課題を解決するための手段】
【０００６】
本発明に係る電気かみそりは、内刃４および外刃５からなる刃部を有する本体ケース１に、傾動可能にトリマーユニット７８が設けられている電気かみそりである。本体ケース１に、トリマーホルダー１０１が傾動可能に設けられており、このトリマーホルダー１０１にトリマーユニット７８が設けられている。トリマーユニット７８は、固定トリマー刃８０および可動トリマー刃８１からなるトリマー用刃部を含んでいる。トリマーユニット７８を刃部に向けて移動させて位置保持させた位置が、刃部とトリマー用刃部を接近させたコンビ剃り位置となっており、トリマーユニット７８を刃部から離れる向きに移動させて位置保持させた位置が、トリマー用刃部が刃部から離れたきわぞり位置となっている。トリマーユニット７８が、トリマーホルダー１０１に対して、往復移動可能に弾性支持されていることを特徴とする。
【０００７】
トリマーホルダー１０１が本体ケース１に対して回動可能に連結されることで、トリマーユニット７８が、本体ケース１に対して回動可能となっている。トリマーユニット７８が、トリマーホルダー１０１に対して、同ホルダー１０１の軸線１０１ａと同一方向に往復移動可能に弾性支持されていることを特徴とする。
【０００８】
トリマーホルダー１０１が本体ケース１に対して回動軸９４を介して回動可能に連結されることで、トリマーユニット７８が、本体ケース１に対して回動可能となっている。  トリマーユニット７８が、トリマーホルダー１０１に対して、回動軸９４に向かう方向に往復移動可能に弾性支持されていることを特徴とする。
【０００９】
コンビ剃り位置においては、トリマーユニット７８はトリマーホルダー１０１に対して往復移動可能となっており、きわぞり位置においては、トリマーユニット７８はトリマーホルダー１０１に対して往復移動不可となっていることを特徴とする。
【００１０】
トリマーユニット７８と本体ケース１との間に、きわぞり位置においてトリマーユニット７８の往復移動を規制する移動ロック構造が設けられている。移動ロック構造が、トリマーユニット７８のトリマーベース７９に設けた接当部１１７と、本体ケース１に設けたロック部１１８とを備えている。きわぞり位置において先の接当部１１７をロック部１１８で受止めて、トリマーユニット７８の移動を規制することを特徴とする。
【００１１】
本体ケース１とトリマーホルダー１０１との間に、きわぞり位置におけるトリマーユニット７８の傾動を規制する傾動ロック構造が設けられていることを特徴とする。
【００１２】
上記傾動ロック構造が、本体ケース１でスライド可能に支持されるロック体１２０と、ロック体１２０をロック付勢するロックばね１２１と、トリマーホルダー１０１に設けられてロック体１２０と係脱する係合部１２２と、ロック体１２０をロックばね１２１の付勢力に抗してロック解除操作する解除体１２３を含んで構成されていることを特徴とする。
【発明の効果】
【００１３】
本発明の電気かみそりにおいては、トリマー用刃部を刃部に近づけて、両者でコンビ剃りを行える。コンビ剃り時には、肌面に倒れこんでいるひげをトリマー用刃部で粗剃りしながら毛起こし、さらに起されたひげを内刃４および外刃５からなる刃部で直ちに切断できるので、コンビ剃りを効果的に行うことができる。また、トリマーユニット７８を刃部から離れる向きに移動させたきわぞり位置では、内刃４および外刃５からなる刃部から離れているので、その刃部が邪魔にならず、トリマーユニット７８を単独で使用する場合の使い勝手が向上する。トリマーユニット７８を、本体ケース１に連結したトリマーホルダー１０１に対して往復移動可能に弾性支持すると、肌面の状況の変化に追随してトリマーユニット７８を進出させ、あるいは沈み込ませることができる。従って、コンビ剃り時に、トリマーユニット７８の切刃部分（トリマー用刃部）を肌面の凹凸に密着した状態で移動させて、ひげのコンビ剃りをさらに軽快に行うことができる。さらに、コンビ剃り時の肌面に先の切刃部分が過剰に押付けられて、肌面が荒れるのを防止できる。
【００１４】
トリマーユニット７８が、トリマーホルダー１０１に対して、同ホルダー１０１の軸線１０１ａと同一方向に往復移動可能に弾性支持されていることにより、トリマーホルダー１０１が大型化するのを防止できる。
【００１５】
トリマーユニット７８が、トリマーホルダー１０１に対して、回動軸９４に向かう方向に往復移動可能に弾性支持されていることにより、トリマーユニット７８が肌面からの押圧力を受けても、トリマーユニット７８が回動軸９４に向かって沈み込むため、トリマーユニット７８を回動させるモーメントが小さく、トリマーユニット７８が不用意に回動するのを防止できる。
【００１６】
トリマーユニット７８と本体ケース１との間に移動ロック構造を設けると、きわぞり位置においてトリマーユニット７８の沈込みを規制して、もみあげ、口ひげ、顎ひげなどの整形をトリマーユニット７８で的確に行うことができる。また、きわぞり位置において、トリマーベース７９に設けた接当部１１７を、操作体２０に設けたロック部１１８で受止めてトリマーユニット７８の沈込みを規制するので、フロートロック構造を簡素化できるうえ、トリマーユニット７８の沈込み動作を確実に規制できる。
【００１７】
本体ケース１とトリマーホルダー１０１との間に、きわぞり位置におけるトリマーユニット７８の傾動を規制する傾動ロック構造を設けると、トリマーユニット７８に刃部に向く外力が作用する場合でも、トリマーユニット７８が傾動しようとするのを傾動ロック構造で規制して、きわぞり位置の姿勢を維持し続けることができる。従って、もみあげ、口ひげ、顎ひげなどの整形をトリマーユニット７８で的確に行うことができる。
【００１８】
ロック体１２０と、ロックばね１２１と、ロック体１２０に対して係脱する係合部１２２と、解除体１２３などで移動ロック構造を構成するので、解除体１２３をスライド操作するだけで、ロック体１２０と係合部１２２の係合状態を簡単に解除して、トリマーユニット７８を傾動することができる。
【図面の簡単な説明】
【００１９】
（図１ないし図６は提案例１に掛かる電気かみそりを示す。）
【図１】外刃ホルダーを第２開放位置まで開放した状態を示す縦断側面図である。
【図２】外刃ホルダーを破断した状態の電気かみそりの正面図である。
【図３】外刃ホルダーのロック構造の概略を示す縦断側面図である。
【図４】外刃ホルダーを第１開放位置まで開放した状態を示す縦断側面図である。
【図５】操作体の一部を破断した状態の電気かみそりの背面図である。
【図６】図３におけるＡ−Ａ線断面図である。
【図７】提案例２に掛かる外刃ホルダーのロック構造を示す一部破断背面図である。    （図８ないし図１１は提案例３に係る電気かみそりを示す。）
【図８】トリマーユニットと操作体の関係構造を示す縦断側面図である。
【図９】操作体の一部を破断した状態の電気かみそりの背面図である。
【図１０】トリマーユニットを作動位置に切換えた状態の縦断側面図である。
【図１１】操作体を洗浄位置に切換えた状態の縦断側面図である。    （図１２ないし図１４は本発明の実施例１に係る電気かみそりを示す。）
【図１２】トリマーユニットと操作体の関係構造を示す縦断側面図である。
【図１３】トリマーユニットをコンビ剃り位置に切換えた状態の縦断側面図である。
【図１４】操作体を洗浄位置に切換えた状態の縦断側面図である。    （図１５ないし図１７は提案例４に係る電気かみそりを示す。）
【図１５】操作体を洗浄位置に切換えた状態の縦断側面図である。
【図１６】操作体を第２作動位置に切換えた状態の縦断側面図である。
【図１７】操作体を待機位置と第１作動位置に切換えた状態の縦断側面図である。
【図１８】本発明の実施例２に係る電気かみそりの概念図である。
【発明を実施するための形態】
【００２０】
（提案例１）  図１ないし図６は、水洗い式の電気かみそりの提案例１を示す。提案例１における前後、左右、上下とは、図２および図３に示す交差矢印と、各矢印の近傍に表記した前後、左右、上下の表示に従う。
【００２１】
図２において電気かみそりは、グリップを兼ねる本体ケース１と、本体ケース１の上部に設けられるかみそりヘッド２と、本体ケース１の内部に収容される電装品部などで、水洗い式の電気かみそりとして構成してある。本体ケース１の前面にはモーター起動用のスイッチノブ３が配置してある。かみそりヘッド２には、後述するモーター９の動力で往復駆動される内刃４と、内刃４の外面を覆う外刃５と、外刃５を支持する外刃ホルダー６が設けてある。内刃４は一群の小刃７を備えたスリット刃からなり、逆Ｕ字形に折り曲げられた内刃４を内刃ホルダー８で支持している。外刃５は網刃からなり、外刃ホルダー６で全体がアーチ状に湾曲する状態で保形してある。外刃ホルダー６は、洗浄開口６８を開閉する蓋体６９を兼ねているが、その詳細は後述する。
【００２２】
電装品部は、モーター９と、左右一対の電池１０と、先のスイッチノブ３で切換え操作されるスイッチ（図示していない）などで構成してある。スイッチノブ３を押上げ操作すると、スイッチがオン状態に切換わって電池１０からモーター９へ駆動電流が供給され、モーター９が回転駆動される。モーター９の回転動力は、その出力軸１３に固定した偏心カム１４と、偏心カム１４に連結された振動子１５とで往復動力に変換されたのち、振動子１５の上面中央に突設した駆動軸１６を介して内刃ホルダー８へ伝動される。
【００２３】
外刃ホルダー６を本体ケース１の上部に膨出した装着部１９に装着することにより、本体ケース１と外刃ホルダー６との間に毛屑収容室Ｓが区画されており、ひげ剃り時に内刃４と外刃５で切断された毛屑は、毛屑収容室Ｓの内部に溜まる。外刃ホルダー６を装着部１９に装着した状態では、外刃ホルダー６の開口周縁壁が、装着部１９の周囲壁に密着しているので、装着部１９の上壁が毛屑収容室Ｓの底壁２７となって、その上面に毛屑が溜まる。水洗い洗浄時に、内刃４、外刃５、および外刃ホルダー６などに付着した毛屑を、簡便にしかも確実に洗浄できるようにするために、外刃ホルダー６を本体ケース１の背面に設けたスライドノブ（操作体）２０で開閉操作できるようにしている。
【００２４】
図５に示すようにスライドノブ２０は、ノブの上半側に設けた左右に長い連結部２１と、連結部２１の下側に連続する操作部２２とを一体に備えたプラスチック成形品からなり、ノブの全体が本体ケース１の背面壁で上下スライド可能に案内支持されている。具体的には、操作部２２の内面に設けた４個のスライド爪２３を、本体ケース１の背面壁に設けた左右一対のガイド溝２４に係合させて、スライドノブ２０を図３に示す待機位置と、図１に示す開放位置との間で上下スライド可能に案内支持している。待機位置および開放位置の各位置においてスライドノブ２０を位置決めするために、スライドノブ２０の内面下部に弾性変形可能な係合アーム２５を設け、本体ケース１の背面壁の上下に係合アーム２５を落込み係合させるためのアーム凹部２６を形成している。
【００２５】
外刃ホルダー６をスライドノブ２０に同行して上下動させるために、外刃ホルダー６の後面の下端中央に横長の連結基部２９を後向きに突設し、この連結基部２９を連結枠３０を介してスライドノブ２０の連結部２１に連結している。図３および図４に示すように、連結枠３０は断面が四角形状の軸体からなり、その前面の中央に先の連結基部２９を嵌め込むための連結溝３１が凹み形成され、連結溝３１の後端に連続して枠ロック構造を組むためのスライド凹部３２と、操作窓３３が形成してある（図６参照）。
【００２６】
図５および図６に示すように、枠ロック構造は、スライド凹部３２に組付けられる左右一対のロック爪３４と、両ロック爪３４をロック付勢する圧縮コイル型のロックばね３５と、各ロック爪３４に対応して連結基部２９の左右に形成される鉤形の係合穴３６とで構成する。ロック爪３４は、ロックばね３５の端部を受止めるスライド軸３７と、係合穴３６に係合する爪腕３８と、操作窓３３を介して連結枠３０の後面に露出する操作部３９とを一体に備えている。
【００２７】
外刃ホルダー６の連結基部２９を連結枠３０の連結溝３１に差し込んで、一対のロック爪３４で連結基部２９をロック固定することにより、外刃ホルダー６を連結枠３０と一体化することができる。また、左右の操作部３９をロックばね３５の付勢力に抗いながら接近する向きにスライド操作すると、爪腕３８と係合穴３６の係合状態を解除して、外刃ホルダー６を連結枠３０から分離することができる。外刃ホルダー６と一体化された連結枠３０の左右両端を、スライドノブ２０の連結部２１にホルダー揺動軸４０で連結することにより、外刃ホルダー６および連結枠３０をホルダー揺動軸４０の周りに揺動開閉できるようにしている。ホルダー揺動軸４０は、連結部２１の上部の左右端に設けたブラケット４１に固定されて、連結枠３０の左右端を軸支している。
【００２８】
外刃ホルダー６および連結枠３０を、図４に示す第１開放位置と図１に示す第２開放位置とにおいて位置保持するために、連結枠３０とスライドノブ２０の連結部２１との間にクリック構造を設けている。クリック構造は、連結部２１の上部左右に組付けられるクリックピン４４と、クリックピン４４を押上げ付勢するクリックばね４５と、連結枠３０の下面および後面に形成したクリック凹部４６で構成してある。連結枠３０が外刃ホルダー６と共に揺動するとき、連結枠３０はクリックばね４５の付勢力に抗いながらクリックピン４４を前後に乗越えるが、この乗越えを円滑に行うために、連結枠３０の後下隅は丸めてある。
【００２９】
ひげ剃り時の外刃ホルダー６は、ケース上端の装着部１９に装着されて内刃４の周囲を覆っており、この状態の外刃ホルダー６が装着部１９から脱落するのを防ぐために、外刃ホルダー６と本体ケース１との間にホルダーロック構造を設けている。図３においてホルダーロック構造は、本体ケース１の内部に上方に設けた左右一対の縦長のロックアーム４８と、ロックアーム４８をロック付勢するアームロックばね４９と、ロックアーム４８に対応して外刃ホルダー６の前壁内面に設けたロック凹部５０などで構成する。ロックアーム４８の上端は、装着部１９の前面から露出しており、この露出部分にロック凹部５０と係合するアームロック爪５１が前向きに突設してある。ロックアーム４８は、本体ケース１の内面に設けたブラケット５２とアーム軸５３とで軸支されて前後に揺動可能であり、その上下中途部がアームロックばね４９と対向するストッパー５４で受け止められている。図３に示すように、アームロック爪５１がロック凹部５０と係合している状態では、外刃ホルダー６の上方移動が規制されるので、外刃ホルダー６の装着部１９に対する装着状態を維持し続けることができる。
【００３０】
スライドノブ２０を待機位置から開放位置へとスライド操作するのに先行して、ホルダーロック構造をロック解除操作するために、スライドノブ２０とロックアーム４８との間にロック解除構造を設けている。ロック解除構造は、スライドノブ２０の操作部２２の中央に設けたトンネル形状の解除ノブ（解除操作部）５８と、解除ノブ５８の押込み動作を中継する中継体５９と、ロックアーム４８の下端に設けられて中継体５９の動作を受継ぐ受動腕６０などで構成する。解除ノブ５８は、その下端のみが操作部２２のノブ壁と繋がっていて前後方向へ弾性変形できる。解除ノブ５８の外面には滑止めリブ６１が、解除ノブ５８の上部内面には中継体５９をスライド操作する操作カム６２が、それぞれ形成してある。中継体５９は、本体ケース１の内部に設けたガイド枠６３で前後スライド自在に支持されており、その後端には受動カム面６４が形成してある。自由状態の解除ノブ５８の外面は先のノブ壁と面一になっており、この状態の解除ノブ５８を前向きに押し込み操作することにより、中継体５９を前方へ移動させて受動腕６０を傾動させ、ロックアーム４８をアームロックばね４９の付勢力に抗ってロック解除操作することができる。
【００３１】
水洗い洗浄時には、まず、解除ノブ５８を押込み操作してホルダーロック構造をロック解除操作し、その状態のままでスライドノブ２０を待機位置から開放位置へスライド操作して、外刃ホルダー６を図４に示す第１開放位置に位置させる。スライドノブ２０を開放位置へ切換えた状態では、係合アーム２５が上側のアーム凹部２６に落ち込み係合するので、スライドノブ２０を開放位置に位置保持できる。
【００３２】
以上のように、解除ノブ５８を押込んだ状態でスライドノブ２０を上向きにスライド操作することにより、外刃ホルダー６を第１開放位置へ移動させて、その下開口端と装着部１９の基端段部６７との間に、洗浄水を導入し、あるいは洗浄水を毛屑とともに排出する洗浄開口６８を開口することができる。この状態の洗浄開口６８は外刃ホルダー６の下開口縁に沿って周回状に開口しており、外刃ホルダー６が洗浄開口６８を開閉するための蓋体６９として機能する。スライドノブ２０を開放位置から待機位置へ下向きにスライド操作すると、外刃ホルダー６の前後壁および左右壁で洗浄開口６８を塞いで毛屑収容室Ｓを閉止できる。
【００３３】
上記のように、外刃ホルダー６を第１開放位置まで開放した状態においては、外刃ホルダー６の下開口が毛屑収容室Ｓの底壁２７より上側に位置している。詳しくは、図４に示すように、第１開放位置における外刃ホルダー６の下開口が、内刃ホルダー８の周面より上側に位置している。このように、第１開放位置における外刃ホルダー６の下開口の位置を、内刃ホルダー８の周面より上側に位置させると、洗浄開口６８の開口高さを大きくして、内刃ホルダー８の周面全体を洗浄開口６８に露出させ、さらに、駆動軸１６や底壁２７を露出させることができる。なお、外刃ホルダー６の下開口が内刃ホルダー８の周面より上側に位置しているとは、次に説明するように、外刃ホルダー６を第１開放位置からホルダー揺動軸４０を中心にして揺動操作するとき、外刃ホルダー６の下開口の揺動軌跡が内刃４に接当緩衝しない高さ位置にあればよいことを意味している。
【００３４】
第１開放位置において、ユーザーが外刃ホルダー６をホルダー揺動軸４０を中心にして揺動操作することにより、外刃ホルダー６を内刃４の上方から退避した第２開放位置（図１の状態）に位置させることができる。外刃ホルダー６を第２開放位置へ開放した状態では、内刃４の前後左右の周囲空間はもちろん、内刃４の上方空間をも開放して、内刃４の全体を露出させることができる。この状態の外刃ホルダー６の仮想中心軸線Ｐ２は、本体ケース１の仮想中心軸線Ｐ１と直交しており（図１参照）、横臥姿勢になった外刃ホルダー６および外刃５の内面を前向きに露出させることができる。
【００３５】
上記のように外刃ホルダー６を第２開放位置に位置させた状態で、洗浄水（流水）を内刃４や底壁２７に流しかけることにより、内刃４、底壁２７、あるいは駆動軸１６に付着した毛屑や皮脂を洗い流すことができる。内刃４を往復駆動した状態のままで水洗い洗浄を行うと、洗浄水と小刃７の衝突機会を増やして、水洗い洗浄をさらに効果的に行うことができる。また、洗浄水を外刃ホルダー６および外刃５の内面に直接的に流しかけることにより、外刃ホルダー６や外刃５の内面に付着した毛屑や皮脂を、隅々まで洗い流すことができる。なお、外刃ホルダー６の仮想中心軸線Ｐ２と本体ケース１の仮想中心軸線Ｐ１とは、厳密に９０度の角度で直交していない場合であっても上記と同様の水洗い効果を発揮できる。従って、この実施例において外刃ホルダー６の仮想中心軸線Ｐ２と、本体ケース１の仮想中心軸線Ｐ１とが直交すると言うときの交差角度は、８０度から１００度の範囲内の角度を含むこととする。
【００３６】
毛屑収容室Ｓ内の毛屑の量が多い場合には、外刃ホルダー６を第１開放位置に開放した状態のままで、洗浄水を洗浄開口６８から内刃４や底壁２７に流しかけて、内刃４や底壁２７、あるいは外刃ホルダー６や外刃５などに付着した毛屑や皮脂を洗い流して前段洗浄を行い、こののち外刃ホルダー６を第２開放位置に開放して、再度洗浄を行うことができる。このように、外刃ホルダー６や外刃５に付着した毛屑や皮脂を前段洗浄で洗い流すと、外刃ホルダー６を第２開放位置に開放操作するときに、毛屑が剥落して手指に付着するのを解消できるので衛生的である。
【００３７】
先に説明したように、外刃ホルダー６を第１開放位置に位置させた状態では、係合アーム２５が上側のアーム凹部２６に落ち込み係合して、スライドノブ２０が本体ケース１に対して確りと位置保持されている。また、第１開放位置および第２開放位置における外刃ホルダー６は、クリックばね４５の付勢力を受けたクリックピン４４がクリック凹部４６と係合して、各開放位置において確りと位置保持されており、スライドノブ２０に対してぐらつくことはない。従って、第１開放位置および第２開放位置におけるスライドノブ２０や外刃ホルダー６のぐら付きを防止して、水洗い洗浄を的確にしかも効果的に行うことができる。
【００３８】
以上のように構成した電気かみそりによれば、スライドノブ２０を待機位置から開放位置へスライド操作するだけで、外刃ホルダー６の下開口の下側に周回状の洗浄開口６８を開口させて、内刃４や毛屑収容室Ｓの底壁２７などを開口空間に露出させることができる。また、外刃ホルダー６を第１開放位置から第２開放位置へ揺動操作することにより、内刃４の前後左右の周囲空間と上方空間を開放して内刃４の全体を露出させ、さらに、外刃ホルダー６および外刃５の内面を前向きに露出させることができる。従って、内刃４、底壁２７、駆動軸１６の各部材の外面や、外刃ホルダー６および外刃５の内面に洗浄水を直接流しかけて、各部に付着した毛屑を洗浄水とともに洗い流すことができる。
【００３９】
詳しくは、電気かみそりの全体を横臥姿勢にして流水を流しかける際に、電気かみそりを横臥姿勢のままで前後に移動させるだけで内刃４を洗浄し、あるいは外刃ホルダー６を洗浄することができ、内刃４を洗浄する姿勢と外刃ホルダー６を洗浄する姿勢を変更する必要がない分だけ水洗い洗浄を簡便に行える。また、第２開放位置における外刃ホルダー６と内刃４は、電気かみそりを横臥姿勢にした状態で前後に大きく離れた位置関係となるので、水洗い洗浄する際に、外刃５および外刃ホルダー６と内刃４とが互いに邪魔になるのを避けながら、内刃４やその周辺の構造体と、外刃５および外刃ホルダー６を個別にしかも隅々まで確実に洗浄することができる。
【００４０】
水洗い洗浄後の電気かみそりは、本体ケース１を握った状態で軽く振払って、かみそりヘッド２のヘッド周りに付着している水滴を除去したのち、外刃ホルダー６が第２開放位置に位置している状態のままで放置することにより、短時間で乾燥することができる。必要があれば、ヘアードライヤーの温風をかみそりヘッド２のヘッド周りに吹付けて、さらに短い時間で乾燥することができる。乾燥後の電気かみそりは、外刃ホルダー６を揺動操作して第１開放位置へ戻し、さらに、スライドノブ２０を開放位置から待機位置へスライド操作することにより、洗浄開口６８を外刃ホルダー６で閉止し、閉止状態の外刃ホルダー６をホルダーロック構造で再びロックすることができる。
【００４１】
提案例１における外刃ホルダー６は、スライドノブ２０に対して連結枠３０を介して着脱可能としたがその必要はなく、外刃ホルダー６の連結基部２９がホルダー揺動軸４０を介してブラケット４１に連結してあってもよい。その場合には、外刃ホルダー６の内部に外刃５を逆Ｕ字状に保形する外刃枠を別途設けて、外刃枠を外刃ホルダー６に対して着脱することにより、外刃５の交換を行うことができる。
【００４２】
（提案例２）  図７は提案例１で説明したホルダーロック構造を変更した提案例２を示す。そこでは、本体ケース１の内部両側に配置した左右一対のロック爪７１と、ロック爪７１をロック付勢するロックばね７２と、ロック爪７１に対応して外刃ホルダー６の前壁内面に設けたロック凹部７３などで構成する。ロック爪７１の上端は、装着部１９の両側から露出しており、この露出部分にロック凹部７３と係合する係合爪７４が横向きに突設してある。ロック爪７１の下端には、本体ケース１の両側外面に突出する解除ボタン７５が設けてあり、この解除ボタン７５をロックばね７２の付勢力に抗して押込み操作することにより、ロック凹部７３と係合爪７４の係合状態を解除できる。他は先の提案例と同じであるので、同じ部材に同じ符号を付してその説明を省略する。以下の本発明の実施例においても同じとする。
【００４３】
水洗い洗浄時には、片方の手で左右の解除ボタン７５を押込み操作して係合爪７４によるロックを解除し、その状態のままで他方の手でスライドノブ２０を待機位置から開放位置へスライド操作することにより、外刃ホルダー６を第１開放位置に位置させることができる。また、第１開放位置において、外刃ホルダー６をホルダー揺動軸４０を中心にして揺動操作することにより、外刃ホルダー６を第２開放位置まで開放することができる。水洗い洗浄し、かみそりヘッド２のヘッド周りに付着していた水滴を乾燥させたのちには、外刃ホルダー６を第１開放位置へ揺動させ、さらにスライドノブ２０を開放位置から待機位置へスライド操作することにより、外刃ホルダー６を左右一対のロック爪７１で自動的にロック保持できる。
【００４４】
（提案例３）  図８ないし図１１は、提案例３に係る水洗い式の電気かみそりを示す。本提案例は、基本的に先の提案例１と同様の内容となっている。提案例３における前後、左右、上下とは、図８に示す交差矢印と、各矢印の近傍に表記した前後、左右、上下の表示に従う。
【００４５】
本提案例の電気かみそりは、グリップを兼ねる本体ケース１と、本体ケース１の上部に設けられるかみそりヘッド２と、本体ケース１の内部に収容される電装品部などで、水洗い式の電気かみそりとして構成してある。本体ケース１の前面にはモーター起動用のスイッチノブ３が配置してある。かみそりヘッド２には、モーター９の動力で往復駆動される内刃４と、内刃４の外面を覆う外刃５と、外刃５を支持する外刃ホルダー６が設けてある。内刃４は一群の小刃７を備えたスリット刃からなり、逆Ｕ字形に折り曲げられた内刃４を内刃ホルダー８で支持している。外刃５は網刃からなり、外刃ホルダー６で全体がアーチ状に湾曲する状態で保形してある。外刃５と外刃５の内面に沿って摺接する内刃４とで刃部が構成される。
【００４６】
電装品部は、モーター９と、左右一対の電池１０と、先のスイッチノブ３で切換え操作されるスイッチ（図示していない）などで構成してある。スイッチノブ３を押上げ操作すると、スイッチがオン状態に切換わって電池１０からモーター９へ駆動電流が供給され、モーター９が回転駆動される。モーター９の回転動力は、その出力軸１３に固定した偏心カム１４と、偏心カム１４に連結された振動子１５とで往復動力に変換されたのち、振動子１５の上面中央に突設した駆動軸１６を介して内刃ホルダー８へ伝動される。
【００４７】
外刃ホルダー６を本体ケース１の上部に膨出した装着部１９に装着することにより、本体ケース１と外刃ホルダー６との間に毛屑収容室Ｓが区画されており、ひげ剃り時に内刃４と外刃５で切断された毛屑は、毛屑収容室Ｓの内部に溜まる。外刃ホルダー６を装着部１９に装着した状態では、外刃ホルダー６の開口周縁壁が、装着部１９の周囲壁に密着しているので、装着部１９の上壁が毛屑収容室Ｓの底壁２７となって、その上面に毛屑が溜まる。
【００４８】
図８に示すようにスライドノブ２０は、ノブの上半側に設けた左右に長い連結部２１と、連結部２１の下側に連続する操作部２２とを一体に備えたプラスチック成形品からなり、ノブの全体が本体ケース１の背面壁で上下スライド可能に案内支持されている。具体的には、操作部２２の内面に設けた２個のスライド爪２３を、本体ケース１の背面壁に設けた左右一対のガイド溝２４に係合させて、スライドノブ２０を図８に示す待機位置と、図１０に示す作動位置と、図１１に示す洗浄位置と、の間で上下スライド可能に案内支持している。待機位置、作動位置および洗浄位置の各位置においてスライドノブ２０を位置決めするために、スライドノブ２０の内面下部に弾性変形可能な係合アーム２５を設け、本体ケース１の背面壁の上下に係合アーム２５を落込み係合させるためのアーム凹部２６を形成している。
【００４９】
水洗い洗浄時に、内刃４、外刃５、および外刃ホルダー６などに付着した毛屑を、簡便にしかも確実に洗浄できるようにするために、洗浄開口６８をスライドノブ（操作体）２０で開閉操作できるようにしている。そこでは、スライドノブ２０の上部にトリマーユニット７８を装着し、スライドノブ２０の上下スライド軌跡に臨む外刃ホルダー６の後壁の左右に洗浄開口６８を開口し、この開口６８を開閉する第１蓋体（蓋体）６９Ａと第２蓋体（蓋体）６９Ｂを、トリマーユニット７８とスライドノブ２０に設けるようにした。第１蓋体６９Ａと第２蓋体６９Ｂとで蓋体６９が構成されている。
【００５０】
トリマーユニット７８は、左右横長のトリマーベース７９の内部に固定トリマー刃８０と、固定トリマー刃８０に沿って左右摺動する可動トリマー刃８１と、可動トリマー刃８１に固定した受動板８２などを組付けて構成してある。受動板８２の下部からスライドノブ２０の上部内面にわたって、振動子１５の往復動力を受継いで受動板８２に伝動する伝動アーム８３が配置してある。固定トリマー刃８０と可動トリマー刃８１は、それぞれバリカン刃で構成してあり、主にもみあげ、口ひげ、顎ひげなどを整形する際に使用する。固定トリマー刃８０、および可動トリマー刃８１によりトリマー用刃部が構成される。
【００５１】
受動板８２には、トリマーベース７９に設けたガイドピン８４で左右スライド自在に案内されるスライド溝８５と、伝動アーム８３の上端に係合する受動凹部８６とが形成してある。伝動アーム８３は十文字状の枠体からなり、その左右枠部にスライドノブ２０に設けたガイドピン８７で左右スライド自在に案内されるスライド溝８８を備えており、上下枠部の下端の前面に受動ピン８９が前向きに突設してある。振動子１５の後縁には、受動ピン８９と係合して振動子１５の往復動力を伝動アーム８３に出力する駆動アーム９０が設けてある。
【００５２】
第１蓋体６９Ａはトリマーベース７９の前面上部に固定してあり、第２蓋体６９Ｂはスライドノブ２０の前面上部に固定してある。第１蓋体６９Ａおよび第２蓋体６９Ｂは、それぞれ左右横長で平坦なプラスチック板材で形成してあり、各蓋体６９Ａ・６９Ｂが左右の洗浄開口６８と正対する状態において、洗浄開口６８の外面側の開口周縁壁に固定した四角枠状の払拭体９１に密着して洗浄開口６８を閉止する。操作体２０とトリマーユニット７８のそれぞれに、洗浄開口６８を開閉する第１蓋体６９Ａと第２蓋体６９Ｂを設けるのは、操作体２０が待機位置にあるとき、上部に位置するトリマーユニット７８の第１蓋体６９Ａで洗浄開口６８を閉止しておくためである。また、操作体２０が作動位置にあるとき、操作体２０に設けた第２蓋体６９Ｂで洗浄開口６８を閉止して、切断された毛屑が洗浄開口６８から排出されるのを防ぐためである。払拭体９１は、市販されているモヘアシールで形成されており、各蓋体６９Ａ・６９Ｂが払拭体９１に密着して、毛屑が洗浄開口６８から漏れ出るのを防いでいる。また、各蓋体６９Ａ・６９Ｂが払拭体９１に沿って開閉移動するとき、各蓋体６９Ａ・６９Ｂに付着している毛屑を払拭して、毛屑が各蓋体６９Ａ・６９Ｂとともに洗浄開口６８の外へ移動するのを防止している。第１蓋体６９Ａと第２蓋体６９Ｂは独立部品として構成する必要はなく、一体に設けることができる。例えば、両蓋体６９Ａ・６９Ｂを屈曲自在なシート状のプラスチック材で構成して一体化することができる。その場合には、各蓋体６９Ａ・６９Ｂの部分を分厚く形成し、両蓋体６９Ａ・６９Ｂの間のヒンジ部分を薄く構成するとよい。また、両蓋体６９Ａ・６９Ｂはヒンジ構造を介して連結してあってもよい。
【００５３】
スライドノブ２０は、トリマーユニット７８を不使用姿勢に位置保持する待機位置と、待機位置から上方へ押上げ操作されて、トリマーユニット７８を使用姿勢に位置保持する作動位置と、待機位置から下方へ押下げ操作される洗浄位置との間をスライド変位できる。つまり、本実施例では、スライドノブ２０は、作動位置、待機位置、洗浄位置においてすべて異なる位置で位置保持されている。各位置に切換えられたスライドノブ２０は、その内面下部に設けた係合アーム２５が、本体ケース１のアーム凹部２６と係合することで位置保持されている。図８に示すように、スライドノブ２０が待機位置にある状態では、トリマーユニット７８に設けた第１蓋体６９Ａが払拭体９１に密着して洗浄開口６８を閉止している。
【００５４】
トリマーベース７９の下部両側には連結軸（回動軸）９４が一体に設けてあり、連結軸９４をスライドノブ２０のブラケット４１で軸支することにより、トリマーユニット７８の全体がスライドノブ２０に対して前後傾動（前後回動）できるように連結してある。左右の連結軸９２には捻りコイル形のトリマーばね９５が装着してあり、トリマーばね９５のばね腕の片方をスライドノブ２０に掛止し、他方のばね腕をトリマーベース７９に掛止することにより、トリマーユニット７８をコンビ剃り位置へ向かって傾動付勢している。
【００５５】
図１０に示すように、スライドノブ２０を待機位置から作動位置へ押上げスライド操作した状態では、スライドノブ２０に設けた第２蓋体６９Ｂが払拭体９１に密着して洗浄開口６８を閉止している。スライドノブ２０を待機位置から作動位置へ押上げ操作する過程では、第１蓋体６９Ａに付着した毛屑が払拭体９１で払い落とされながら、トリマーユニット７８の全体がトリマーばね９５の付勢力を受けて徐々に前傾する。そして、スライドノブ２０が作動位置に切換わった状態では、第１蓋体６９Ａの下側部分が、外刃ホルダー６の後壁に設けたストッパー面９６で受止められて、トリマーユニット７８が使用姿勢に切換わりコンビ剃り姿勢となる。この状態の伝動アーム８３はスライドノブ２０に同行して上方移動しているので、その受動ピン８９が駆動アーム９０と係合している。従って、モーター９を起動すると、振動子１５で変換された往復動力を内刃４と可動トリマー刃８１に同時に伝えてコンビ剃りを行うことができる。また、トリマーユニット７８のみを使用して、きわぞりを行うことができる。スライドノブ２０を作動位置から待機位置へ戻すと、トリマーユニット７８はスライドノブ２０に同行して下方移動し、その間にトリマーばね９５の付勢力に抗いながら徐々に起立姿勢に復帰して待機位置へ戻る。
【００５６】
水洗い洗浄時には、図１１に示すように、スライドノブ２０を待機位置から洗浄位置へ押下げスライド操作することにより、待機位置において洗浄開口６８を閉止していた第１蓋体６９Ａを、洗浄開口６８より下側へ退避させて洗浄開口６８を開放する。この場合にも、第１蓋体６９Ａに付着した毛屑が払拭体９１で払い落とされる。洗浄開口６８を開放した状態で洗浄水を洗浄開口６８から毛屑収容室Ｓ内に流入させ、さらに、内刃４を往復駆動することにより、内刃４、駆動軸１６、底壁２７の各部材の外面や、外刃ホルダー６および外刃５の内面に付着した毛屑や皮脂を洗浄水とともに洗い流すことができる。毛屑や皮脂などを含む洗浄後の汚水は、外刃５の網目から毛屑収容室Ｓの外に排出される。外刃５の網目から洗浄水を導入した場合は、洗浄後の汚水は洗浄開口６８から排出される。以上の説明から理解できるように、スライドノブ２０を待機位置と作動位置と洗浄位置との間でスライド操作する状態において、第１蓋体６９Ａおよび第２蓋体６９Ｂに付着した毛屑を払拭体９１で払落とすことができる。
【００５７】
図１０に示すように、かみそりヘッド２に設けた内刃４、外刃５、および外刃ホルダー６の前後方向の仮想中心軸線Ｐ３は、本体ケース１の仮想中心軸線Ｐ１に対して角度θ１だけ前傾させてある。また、コンビ剃り姿勢になっているトリマーユニット７８の仮想中心軸線Ｐ４は、本体ケース１の仮想中心軸線Ｐ１と平行な基準線に対して角度θ２だけ前傾している。外刃ホルダー６の仮想中心軸線Ｐ３の前傾角度θ１と、トリマーユニット７８の仮想中心軸線Ｐ４の前傾角度θ２とは、不等式（θ１＜θ２）を満足できるように設定する。
【００５８】
上記の角度設定を採用することにより、トリマーユニット７８を外刃５の近傍に位置させることができるので、トリマーユニット７８で粗削りしながら倒れこんでいるひげを起こすことができ、さらに起されたひげを内刃４および外刃５で直ちに切断することができるので、内刃４および外刃５とトリマーユニット７８によるコンビ剃りを効果的に行うことができる。また、外刃ホルダー６の仮想中心軸線Ｐ３が前傾させてあるので、内刃４および外刃５によるひげ切断を適切かつ容易に行うことができる。この実施例における外刃ホルダー６の仮想中心軸線Ｐ３の前傾角度θ１は１０度とし、トリマーユニット７８の仮想中心軸線Ｐ４の前傾角度θ２は４５度とした。
【００５９】
提案例３における払拭体９１は、モヘアシール以外に、ゴム成形品または軟質樹脂成形品で形成することができ、ベース生地に電気植毛加工を施して密植したパイル群や、密植したブラシ体で形成してもよい。洗浄開口６８は外刃ホルダー６の後壁の左右に開口する必要はなく、トリマーユニット７８左右幅の範囲内で、左右横長の１個の洗浄開口６８が開口してあってもよい。固定トリマー刃８０、および可動トリマー刃８１の構造は、バリカン刃構造である必要はなく、図１２に示すような櫛歯構造であってもよい。
【００６０】
提案例３におけるトリマーばね９５は省くことができ、その場合にはトリマーベース７９とスライドノブ２０の連結部２１との間に、提案例１で説明したようなクリック構造を設けることができる。クリック構造は、トリマーユニット７８が前傾して外刃ホルダー６に隣接する使用位置と、トリマーユニット７８がスライドノブ２０の側延長上に起立する起立位置とに位置保持できる。起立位置に位置保持した状態のトリマーユニット７８は、外刃ホルダー６から充分に離れているので、トリマーユニット７８を単独で使用してきわぞりや、口ひげ顎ひげなどの整形を行うことができる。
【００６１】
（実施例１）  図１２ないし図１４は、本発明に係る水洗い式の電気かみそりの実施例１を示す。本実施例は、基本的に先の提案例３と同様の内容となっている。実施例１における前後、左右、上下とは、図１２に示す交差矢印と、各矢印の近傍に表記した前後、左右、上下の表示に従う。
【００６２】
本実施例の電気かみそりは、グリップを兼ねる本体ケース１と、本体ケース１の上部に設けられるかみそりヘッド２と、本体ケース１の内部に収容される電装品部などで、水洗い式の電気かみそりとして構成してある。本体ケース１の前面にはモーター起動用のスイッチノブ３が配置してある。かみそりヘッド２には、モーター９の動力で往復駆動される内刃４と、内刃４の外面を覆う外刃５と、外刃５を支持する外刃ホルダー６が設けてある。内刃４は一群の小刃７を備えたスリット刃からなり、逆Ｕ字形に折り曲げられた内刃４を内刃ホルダー８で支持している。外刃５は網刃からなり、外刃ホルダー６で全体がアーチ状に湾曲する状態で保形してある。外刃５と外刃５の内面に沿って摺接する内刃４とで刃部が構成される。刃部は、主に短毛を切断する場合に使用される。
【００６３】
電装品部は、モーター９と、左右一対の電池１０と、先のスイッチノブ３で切換え操作されるスイッチ（図示していない）などで構成してある。スイッチノブ３を押上げ操作すると、スイッチがオン状態に切換わって電池１０からモーター９へ駆動電流が供給され、モーター９が回転駆動される。モーター９の回転動力は、その出力軸１３に固定した偏心カム１４と、偏心カム１４に連結された振動子１５とで往復動力に変換されたのち、振動子１５の上面中央に突設した駆動軸１６を介して内刃ホルダー８へ伝動される。
【００６４】
外刃ホルダー６を本体ケース１の上部に膨出した装着部１９に装着することにより、本体ケース１と外刃ホルダー６との間に毛屑収容室Ｓが区画されており、ひげ剃り時に内刃４と外刃５で切断された毛屑は、毛屑収容室Ｓの内部に溜まる。外刃ホルダー６を装着部１９に装着した状態では、外刃ホルダー６の開口周縁壁が、装着部１９の周囲壁に密着しているので、装着部１９の上壁が毛屑収容室Ｓの底壁２７となって、その上面に毛屑が溜まる。
【００６５】
図１２に示すようにスライドノブ２０は、ノブの上半側に設けた左右に長い連結部２１と、連結部２１の下側に連続する操作部２２とを一体に備えたプラスチック成形品からなり、ノブの全体が本体ケース１の背面壁で上下スライド可能に案内支持されている。具体的には、操作部２２の内面に設けた２個のスライド爪を、本体ケース１の背面壁に設けた左右一対のガイド溝に係合させて、スライドノブ２０を図１２、図１３に示すトリマーユニット作動位置と、図１４に示す洗浄位置と、の間で上下スライド可能に案内支持している。作動位置および洗浄位置の各位置においてスライドノブ２０を位置決めするために、スライドノブ２０の内面下部に弾性変形可能な係合アームを設け、本体ケース１の背面壁の上下に係合アームを落込み係合させるためのアーム凹部を形成している。
【００６６】
図１２に示すように、トリマーユニット７８をスライドノブ２０の延長上に起立するきわぞり位置と、図１３に示すように、トリマーユニット７８がスライドノブ２０に対して前傾して、外刃５と内刃４からなる刃部に接近して隣接するコンビ剃り位置とに屈折できるようにスライドノブ２０で支持した。また、トリマーユニット７８をコンビ剃り位置においてフロート可能に支持した。そのために、スライドノブ２０の上部にトリマーホルダー１０１を連結軸（回動軸）９４を介して前方屈折可能（前後回動可能）に連結し、トリマーユニット７８に設けた左右一対のスライドピース１０２を、トリマーホルダー１０１の左右壁に設けたガイド溝１０３で往復スライド自在に案内支持した。さらに、トリマーホルダー１０１とトリマーユニット７８との間に左右一対の圧縮コイル形のフロートばね１０４を配置し、トリマーユニット７８をトリマーホルダー１０１から離れる向きへ進出付勢して、フロートばね１０４で浮動支持（弾性支持）できるようにした。トリマーホルダー１０１がスライドノブ２０（本体ケース１）に対して回動可能に連結されることで、トリマーユニット７８が、スライドノブ２０に対して回動可能となっている。トリマーユニット７８は、トリマーホルダー１０１に対して、同ホルダー１０１の軸線１０１ａと同一方向に往復移動可能に弾性支持されている。さらに、トリマーホルダー１０１がスライドノブ２０（本体ケース１）に対して連結軸（回動軸）９４を介して回動可能に連結されることで、トリマーユニット７８が、スライドノブ２０に対して回動可能となっているが、トリマーユニット７８が、トリマーホルダー１０１に対して、連結軸（回動軸）９４に向かう方向に往復移動可能に弾性支持されている。なお、スライドノブ２０は、本体ケース１の一部としてみることができ、本発明においてはそのように判断して構成したものである。
【００６７】
トリマーユニット７８は、それぞれくし刃構造の固定トリマー刃８０と可動トリマー刃８１とを備えており、固定トリマー刃８０はトリマーベース７９に固定され、可動トリマー刃８１と、同刃８１に固定した受動板８２がトリマーベース７９で左右スライド自在に支持されている。スライドノブ２０は、本体ケース１で上下スライド自在に支持されるノブベース１０５と、ノブベース１０５の後側に固定されるノブカバー１０６とで中空枠状に構成してある。ノブベース１０５とノブカバー１０６の上部には、洗浄水を導入する導水穴１０７が前後貫通状に形成され、この導水穴１０７より上側のノブベース１０５の壁面に、洗浄開口６８を閉止する閉止蓋部（蓋体）１０８が設けてある。固定トリマー刃８０と可動トリマー刃８１は、それぞれくし刃で構成してあり、主にもみあげ、口ひげ、顎ひげなどにある長毛を整形する際に使用する。固定トリマー刃８０、および可動トリマー刃８１によりトリマー用刃部が構成される。
【００６８】
スライドノブ２０は、図１２に示す作動位置と、図１４に示す洗浄位置との間で上下スライドできる。図示していないが、スライドノブ２０と本体ケース１との間に、提案例３で説明した係合アーム２５およびアーム凹部２６を設けておくことにより、作動位置と洗浄位置の各位置において、スライドノブ２０を本体ケース１に対して確りと位置保持することができる。従って、作動位置はもちろん洗浄位置におけるスライドノブ２０のぐら付きを防止して、水洗い洗浄を的確にしかも効果的に行うことができる。本実施例では、スライドノブ２０において、トリマーユニット７８を使用姿勢に位置保持する作動位置とトリマーユニット７８を不使用姿勢に位置保持する待機位置とが同じ位置となっている。つまり、図１２の使用姿勢に位置保持する作動位置では、受動ピン８９と駆動アーム９０とが係合してモーター９の動力が可動トリマー刃８１に伝わるようになっているが、スイッチをオフしていれば可動刃トリマー８１は作動していないので、この場合も不使用姿勢とみなすことができる。したがって、本発明の「トリマーユニット７８の不使用姿勢」とは、必ずしもモーター９から可動トリマー刃８１への伝動構造を一部連結させないとする必要はない。本実施例では、スライドノブ２０は、作動位置と待機位置において同じ位置に位置保持されており、洗浄位置のみ作動位置および待機位置とは異なる位置で位置保持されている。
【００６９】
作動位置においてユーザーがトリマーユニット７８を前後に傾動操作することにより、トリマーユニット７８を図１２に示されるようなきわぞり位置（トリマー単独使用位置）と、図１３に示されるようなコンビ剃り位置とに切換えることができる。トリマーユニット７８を刃部に向けて移動させて位置保持させた位置が、刃部とトリマー用刃部を接近させたコンビ剃り位置となる。また、トリマーユニット７８を刃部から離れる向きに移動させて位置保持させた位置が、トリマー用刃部が刃部から離れたきわぞり位置となる。このきわぞり位置のときの固定トリマー刃８０、および可動トリマー刃８１からなるトリマー用刃部の頂面は、外刃５と内刃４からなる刃部の頂面より上方に位置している。また、コンビ剃り位置のときの固定トリマー刃８０、および可動トリマー刃８１からなるトリマー用刃部の頂面と、外刃５と内刃４からなる刃部の頂面とは、略同一高さ位置となっている。図１３においては、トリマー用刃部は刃部から僅かに上方位置にあるが、同一位置か、僅かに下方位置にあってもよい。さらに、コンビ剃り位置において、トリマー用刃部は、刃部のうち少なくとも外刃５に対して図１３に示すように上下に重なる位置まで前傾姿勢（傾斜姿勢）となっている。これにより、刃部とトリマー用刃部をより近接できることから、コンビ剃り時において、肌面に倒れこんでいるひげをトリマーユニット７８で粗剃りしながら毛起こし、さらに起されたひげを内刃４および外刃５で直ちに切断できるので、コンビ剃りを効果的に行うことができる。
【００７０】
スライドノブ２０を押上げ操作して洗浄位置に切換えた状態では、閉止蓋部１０８の下側に設けた導水穴１０７が洗浄開口６８と連通するので、導水穴１０７から導入した洗浄水を洗浄開口６８から毛屑収容室Ｓ内へ流入させることができる。洗浄開口６８の周囲に設けられた払拭体９１は、市販されているモヘアシールで形成されており、蓋体１０８が払拭体９１に密着して、毛屑が洗浄開口６８から漏れ出るのを防いでいる。また、蓋体１０８が払拭体９１に沿って開閉移動するとき、蓋体１０８に付着している毛屑を払拭して、毛屑が蓋体１０８とともに洗浄開口６８の外へ移動するのを防止している。洗浄開口６８を開放した状態で洗浄水を洗浄開口６８から毛屑収容室Ｓ内に流入させ、さらに、内刃４を往復駆動することにより、内刃４、駆動軸１６、底壁２７の各部材の外面や、外刃ホルダー６および外刃５の内面に付着した毛屑や皮脂を洗浄水とともに洗い流すことができる。毛屑や皮脂などを含む洗浄後の汚水は、外刃５の網目から毛屑収容室Ｓの外に排出される。外刃５の網目から洗浄水を導入した場合は、洗浄後の汚水は洗浄開口６８から排出される。なお、スライドノブ２０を洗浄位置に切換えた状態では、伝動アーム８３の受動ピン８９は振動子１５の駆動アーム９０から分離している。なお、きわぞり位置においては、トリマーユニット７８が、スライドノブ２０の軸線から所定角度後方に傾いた後傾姿勢となったものであってもよい。
【００７１】
トリマーホルダー１０１は、左右壁１１０と後壁１１１とを一体に備えており、左右壁１１０の下部に先の連結軸９４が一体に設けられ、左右壁１１０の上部に規制体１１２が外刃ホルダー６へ向かって突設してある。トリマーユニット７８をきわぞり位置からコンビ剃り位置へ回動させて屈折させた状態では、規制体１１２が外刃ホルダー６の左右両側に設けた係合壁（係合部）１１３の外面に密着係合する（図１３参照）。規制体１１２が係合壁１１３と係合する過程では、それぞれの密着係合面に設けた突起同士が互いに乗越えることで、係合姿勢を維持することができ、さらにクリック間を与えて規制体１１２が係合壁１１３に係合したことを明確化することができる。このように、コンビ剃り位置において、一対の規制体１１２で係合壁１１３を左右に抱持する状態で係合することにより、トリマーユニット７８の左右動を規制して、トリマーユニット７８による起毛作用や、ひげ切断を的確に行うことができる。また、コンビ剃り位置に切換わったトリマーユニット７８が、トリマーホルダー１０１に対して、トリマーユニット７８の仮想中心軸線Ｐ４に沿って往復移動可能に弾性支持されている。このようにコンビ剃り位置に切換わったトリマーユニット７８は、その仮想中心軸線Ｐ４に沿って往復スライド（往復移動）可能に案内支持されていて、フロートばね１０４の付勢力に抗して沈込むことができる構成としているので、固定トリマー刃８０の肌当りを柔らかなものとすることができる。また、上述したように前傾姿勢となってコンビ剃り位置に切換わったトリマーユニット７８は、トリマーホルダー１０１に対して、トリマーユニット７８の軸線または／およびトリマーホルダー１０１の軸線１０１ａに沿って往復移動可能に弾性支持されている。
【００７２】
きわぞり位置においてトリマーユニット７８のフロート動作（往復移動）を規制するためにフロートロック構造（移動ロック構造）を設け、さらに、きわぞり位置におけるトリマーユニット７８の前方傾動を規制するために傾動ロック構造を設けている。図１２において、フロートロック構造は、トリマーベース７９の後壁の下端に設けた接当部１１７と、ノブカバー１０６の上端に設けたロック部１１８で構成する。トリマーユニット７８をコンビ剃り位置からきわぞり位置へ戻した状態では、接当部１１７の下面がロック部１１８の上面で受止められるので、トリマーユニット７８がフロートばね１０４の付勢力に抗して沈込むのを規制することができる。
【００７３】
傾動ロック構造は、ノブカバー１０６の上部のガイド溝１１９で上下スライド可能に支持されるロック体１２０と、ロック体１２０をロック付勢するロックばね１２１と、トリマーホルダー１０１の後壁１１１に設けられてロック体１２０と係脱する係合溝（係合部）１２２と、ロック体１２０をロックばね１２１の付勢力に抗してロック解除操作する解除体１２３などで構成する。図１２および図１４に示すように、トリマーユニット７８をきわぞり位置へ切換えた状態では、ロック体１２０の上端の爪部１２４が係合溝１２２に係合しているので、トリマーユニット７８は連結軸９４を中心にして前方傾動することはできない。この状態から、解除体１２３をロックばね１２１の付勢力に抗してスライド操作して押し下げると、爪部１２４を係合溝１２２から離脱できるので、トリマーユニット７８を連結軸９４を中心にして前方傾動することが可能となる。このとき、きわぞり位置からトリマー位置への位置変更は、使用者にて行うものであるが、例えば、スライドノブ２０とトリマーホルダー１０１との間にはキックばねを設けて、トリマーホルダー１０１を前方、つまり刃部に向けて回転付勢させておき、ロック体１２０の解除と同時にトリマーホルダー１０１およびトリマーユニット７８をばねの作用で刃部に向けて回転させることができる。これにより、トリマーユニット７８を簡単操作できわぞり位置からコンビ剃り位置へ位置変更できる。傾動ロック構造は、トリマーユニット７８の左右壁１１０を摘み、コンビ剃り位置から後方、つまり、刃部から離れる向きに移動させてきわぞり位置へ回転操作するだけで、トリマーホルダー１０１の後壁１１１がロック体１２０を沈ませながら乗越えるので、後壁１１１の設けた係合溝１２２をロック体１２０の爪部１２４に係合することができる。つまりコンビ剃り位置からきわぞり位置への位置変更は使用者にて行うものである。
【００７４】
以上のように、きわぞり位置においてトリマーユニット７８のフロート動作を規制し、さらに、トリマーユニット７８の前方傾動を規制すると、固定トリマー刃８０および可動トリマー刃８１を固定した状態でひげ切断を行えるので、もみあげ、口ひげ、顎ひげなどの整形を的確に行うことができる。また、きわぞり位置においてトリマーユニット７８に前向き、つまり刃部に向けた外力が作用することがあっても、トリマーユニット７８が前方傾動しようとするのを傾動ロック構造で規制して、起立姿勢を維持し続けることができる。また、きわぞり位置に起立させたトリマーユニット７８は、傾動ロック構造で前後傾動不能にロック保持されるので、起立姿勢を保持し続けることができる。
【００７５】
図１３に示すように、かみそりヘッド２に設けた内刃４、外刃５、および外刃ホルダー６の前後方向の仮想中心軸線Ｐ３は、提案例３の電気かみそりと同様に、本体ケース１の仮想中心軸線Ｐ１に対して角度θ１だけ前傾させてある。また、コンビ剃り姿勢になっているトリマーユニット７８の仮想中心軸線Ｐ４は、本体ケース１の仮想中心軸線Ｐ１と平行な基準線に対して角度θ２だけ前傾している。外刃ホルダー６の仮想中心軸線Ｐ３の前傾角度θ１と、トリマーユニット７８の仮想中心軸線Ｐ４の前傾角度θ２とは、不等式（θ１＜θ２）を満足できるように設定する。
【００７６】
上記の角度設定を採用することにより、トリマーユニット７８のトリマー用刃部を外刃５の近傍に位置させることができるので、トリマーユニット７８で粗削りしながら倒れこんでいるひげを起こすことができ、さらに起されたひげを内刃４および外刃５で直ちに切断することができるので、内刃４および外刃５とトリマーユニット７８によるコンビ剃りを効果的に行うことができる。また、外刃ホルダー６の仮想中心軸線Ｐ３が前傾させてあるので、内刃４および外刃５によるひげ切断を適切かつ容易に行うことができる。この実施例における外刃ホルダー６の仮想中心軸線Ｐ３の前傾角度θ１は１０度とし、トリマーユニット７８の仮想中心軸線Ｐ４の前傾角度θ２は４５度とした。
【００７７】
規制体１１２は、トリマーホルダー１０１の左右両側に設ける必要はなく、トリマーホルダー１０１の左右方向の任意位置の少なくとも１個所以上に設けてあればよい。その場合には、規制体１１２と対応する外刃ホルダー６の後壁に、規制体１１２と係合する係合部１１３を凹み形成する。また、規制体１１２は、板状や軸状あるいは枠状など、任意の形状に形成することができる。さらに、外刃ホルダー６の側に設けた突起と、トリマーホルダー１０１の側に設けた凹部とを、互いに係合させてトリマーユニット７８の左右遊動を規制することができる。必要があれば、トリマーベース７９に規制体１１２を設けることができる。
【００７８】
固定トリマー刃８０、および可動トリマー刃８１の構造は、くし刃構造である必要はなく、提案例３、実公昭５８−１８８４３号に示されるようなバリカン刃構造であってもよい。
【００７９】
上記実施例１の電気かみそりは、以下の態様で実施することができる。
グリップを兼ねる本体ケース１に装着した外刃ホルダー６の仮想中心軸線Ｐ３が、本体ケース１の仮想中心軸線Ｐ１に対して角度θ１だけ前傾させてあり、
トリマーユニット７８は、操作体２０に対して連結軸９４を介して前後傾動可能に連結されており、
トリマーユニット７８を前向きに屈折させて使用姿勢に切換えることができ、
使用姿勢に切換えられて前向きに屈折した状態のトリマーユニット７８の仮想中心軸線Ｐ４が、本体ケースの仮想中心軸線Ｐ１に対して角度θ２だけ前傾させてあり、
外刃ホルダー６の仮想中心軸線Ｐ１の前傾角度θ１と、トリマーユニット７８の仮想中心軸線Ｐ４の前傾角度θ２とが、不等式（θ１＜θ２）を満足できるように設定してあり、
操作体２０の上部にトリマーホルダー１０１が連結軸９４を介して前後傾動可能に連結されており、
トリマーユニット７８が、トリマーホルダー１０１に対して、トリマーユニット７８の仮想中心軸線Ｐ４に沿って往復移動可能に設けられており、
トリマーユニット７８が、トリマーホルダー１０１とトリマーユニット７８との間に配置したフロートばね１０４で弾性支持されていることを特徴とする電気かみそり。
上記態様によれば、作動位置におけるトリマーユニット７８を外刃５の近傍に位置させて、両者でコンビ剃りを行える。コンビ剃り時には、肌面に倒れこんでいるひげをトリマーユニット７８で粗剃りしながら毛起こし、さらに起されたひげを内刃４および外刃５で直ちに切断できるので、コンビ剃りを効果的に行うことができる。また、外刃ホルダー６の仮想中心軸線Ｐ３が前傾させてあるので、外刃ホルダー６の仮想中心軸線Ｐ３が本体ケース１の仮想中心軸線Ｐ１と一致させてある電気かみそりに比べて、内刃４および外刃５によるひげ切断を適切かつ容易に行うことができる。また、トリマーユニット７８が、トリマーホルダー１０１とトリマーユニット７８との間に配置したフロートばね１０４で弾性支持されていることにより、肌面の状況の変化に追随してトリマーユニット７８を進出させ、あるいは沈み込ませることができる。従って、コンビ剃り時に、トリマーユニット７８の切刃部分を肌面の凹凸に密着した状態で移動させて、ひげのコンビ剃りをさらに軽快に行うことができる。さらに、コンビ剃り時の肌面に先の切刃部分が過剰に押付けられて、肌面が荒れるのを解消できる。
【００８０】
（実施例２）  図１８は、本発明に係る水洗い式の電気かみそりの実施例２を示す。実施例２における前後、左右、上下とは、図１８に示す交差矢印と、各矢印の近傍に表記した前後、左右、上下の表示に従う。
【００８１】
本実施例の電気かみそりは、グリップを兼ねる本体ケース１と、本体ケース１の上部に設けられるかみそりヘッド２と、本体ケース１の内部に収容される電装品部などで、水洗い式の電気かみそりとして構成してある。本体ケース１の前面にはモーター起動用のスイッチノブ３が配置してある。かみそりヘッド２には、モーターの動力で往復駆動される内刃４と、内刃４の外面を覆う外刃５と、外刃５を支持する外刃ホルダー６が設けてある。内刃４は一群の小刃を備えたスリット刃からなり、逆Ｕ字形に折り曲げられた内刃４を内刃ホルダーで支持している。外刃５は網刃からなり、外刃ホルダー６で全体がアーチ状に湾曲する状態で保形してある。外刃５と外刃５の内面に沿って摺接する内刃４とで刃部が構成される。刃部は、主に短毛を切断する場合に使用される。
【００８２】
トリマーユニット７８は、それぞれバリカン刃構造の固定トリマー刃８０と可動トリマー刃８１とを備えており、固定トリマー刃８０はトリマーベースに固定され、可動トリマー刃８１と、同刃８１に固定した受動板がトリマーベースで左右スライド自在に支持されている。固定トリマー刃８０と可動トリマー刃８１は、それぞれバリカン刃で構成してあり、主にもみあげ、口ひげ、顎ひげなどにある長毛を整形する際に使用する。固定トリマー刃８０、および可動トリマー刃８１によりトリマー用刃部が構成される。
【００８３】
本体ケース１の後面の上部には、後方に向けて突出形成されたブラケット４１を有しており、このブラケット４１に、トリマーホルダー１０１が連結軸（回動軸）９４を介して前後傾動可能（前後回動可能）に連結されている。つまりトリマーユニット７８は、連結軸９４とトリマーホルダー１０１を介して本体ケース１に前後傾動可能（前後回動可能）に設けられている。トリマーホルダー１０１とトリマーユニット７８との間に左右一対の圧縮コイル形のフロートばね１０４を配置し、トリマーユニット７８をトリマーホルダー１０１から離れる向きへ進出付勢して、フロートばね１０４で浮動支持（弾性支持）できるようにしている。図１８において実線で示すトリマーユニット７８の位置が刃部に接近したコンビ剃り位置を示しており、点線で示すトリマーユニット７８の位置が刃部から離れたきわぞり位置を示している。すなわち本実施例では、トリマーユニット７８が起立した姿勢が、コンビ剃り位置となり、刃部から離れた後傾した傾斜姿勢が、きわぞり位置となっている。トリマーホルダー１０１が本体ケース１に対して回動可能に連結されることで、トリマーユニット７８が、本体ケース１に対して回動可能となっている。トリマーユニット７８は、トリマーホルダー１０１に対して、同ホルダー１０１の軸線１０１ａと同一方向に往復移動可能に弾性支持されている。なお、実施例１では、トリマーユニット７８が、トリマーホルダー１０１に対して、連結軸（回動軸）９４に向かう方向に往復移動可能に弾性支持されていたが、本実施例では、トリマーホルダー１０１の全体がＬ字状になっており、その回動連結端から軸線１０１ａまで所定の距離を有するため、トリマー用刃部が肌面に押されたとき、前向きに回転モーメントが作用する。ただ図示していないが、本体ケース１とトリマーホルダー１０１との間のどちらか一方に突出形態のストッパーおよび保持構造を設けているので、前向きの回転は規制されている。保持構造はトリマーホルダー１０１と本体ケース１との間に設けられているが、トリマーホルダー１０１の連結軸９４への連結端からトリマーホルダー１０１の軸線１０１ａまで所定の距離を有することにより、トリマーユニット７８およびトリマーホルダー１０１は、ひげ剃り時に肌面から押圧力を受けた場合、前向き、つまり刃部に向けた回転モーメントがかかるので、刃部から離れる向きに不用意に回転移動するのを防止できる。本実施例では、トリマー用刃部以外のトリマーユニット７８は、トリマーホルダー１０１の内部に位置している。符号１０１ｂは、トリマーホルダー１０１の連結端とトリマーユニット７８のトリマーホルダー１０１の取付端の間にあるエルボ部である。その他、トリマーユニット７８、トリマーホルダー１０１の機構部分以外は基本的に先の実施例１と同様の内容となっているので詳しい説明は省く。
【００８４】
上述の構成により、トリマー用刃部を刃部に近づけて、両者でコンビ剃りを行える。コンビ剃り時には、肌面に倒れこんでいるひげをトリマー用刃部で粗剃りしながら毛起こし、さらに起されたひげを内刃４および外刃５からなる刃部で直ちに切断できるので、コンビ剃りを効果的に行うことができる。また、トリマーユニット７８を刃部から離れる向きに移動させたきわぞり位置では、内刃４および外刃５からなる刃部から離れているので、その刃部が邪魔にならず、トリマーユニット７８を単独で使用する場合の使い勝手が向上する。トリマーユニット７８を、本体ケース１に連結したトリマーホルダー１０１に対して往復移動可能に弾性支持すると、肌面の状況の変化に追随してトリマーユニット７８を進出させ、あるいは沈み込ませることができる。従って、コンビ剃り時に、トリマーユニット７８の切刃部分（トリマー用刃部）を肌面の凹凸に密着した状態で移動させて、ひげのコンビ剃りをさらに軽快に行うことができる。さらに、コンビ剃り時の肌面に先の切刃部分が過剰に押付けられて、肌面が荒れるのを防止できる。
【００８５】
図示していないが、本実施例にもトリマーユニット７８と本体ケース１との間に、きわぞり位置においてトリマーユニット７８の往復移動を規制する移動ロック構造が設けられている。また、本体ケース１とトリマーホルダー１０１との間に、きわぞり位置におけるトリマーユニット７８の傾動を規制する傾動ロック構造が設けられている。
【００８６】
上記実施例１および２の電気かみそりは、以下の態様で実施することができる。
なお、以下の態様は、操作体２０を本体ケース１の一部として記載したものである。つまり、上記実施例では、操作体２０は、トリマーユニット７８を上下スライド移動させたり、洗浄開口６８を開閉させたりする際に用いられていたため操作体と表現したが、以下の態様では、操作体２０は、単にトリマーホルダー１０１やトリマーユニット７８を支持するためだけに用いられるものも含み、それを本体ケース１の一部として表現している。したがって、以下の態様の場合、本体ケース１と記載していても、これは実施例２のような本体ケース１を含むとともに実施例１における操作体２０をも含む概念である。
その上部に内刃４および外刃５からなる刃部を有する本体ケース１に、前後傾動可能にトリマーユニット７８が設けられている電気かみそりであって、
本体ケース１に、トリマーホルダー１０１が前後傾動可能に設けられており、このトリマーホルダー１０１にトリマーユニット７８が設けられており、
トリマーユニット７８は、固定トリマー刃８０および可動トリマー刃８１からなるトリマー用刃部を含み、
トリマーユニット７８を前方に移動させて、すなわち刃部に向けて移動させて位置保持させた位置が、刃部とトリマー用刃部を接近させたコンビ剃り位置となっており、トリマーユニット７８をコンビ剃り位置から後方に移動させて、すなわち刃部から離れる向きに移動させて位置保持させた位置が、トリマー用刃部が刃部から離れたトリマー単独使用のきわぞり位置となっており、
トリマーユニット７８が、トリマーホルダー１０１に対して、往復移動可能に弾性支持されており、
コンビ剃り位置においては、トリマーユニット７８はトリマーホルダー１０１に対して往復移動可能となっており、
きわぞり位置においては、トリマーユニット７８はトリマーホルダー１０１に対して往復移動不可となっていることを特徴とする電気かみそり。
なお、上記態様の「トリマーユニット７８が、トリマーホルダー１０１に対して、往復移動可能に弾性支持」部分の「往復移動」の方向は、内刃４および外刃５からなる刃部への肌面の当接方向と略一致する方向、つまり略上下方向である。詳しく述べれば、トリマーユニット７８は、本体ケース１に対して回動軸９４、トリマーホルダー１０１を介して回動可能に連結されていることから、「往復移動」の方向は、トリマーホルダー１０１の軸線１０１ａと同一方向、または回動軸９４に向かう方向と同一方向である。つまり、トリマーユニット７８は、トリマーホルダー１０１に対して、トリマーホルダー１０１の軸線１０１ａと同一方向、または回動軸９４に向かう方向と同一方向に往復移動可能に弾性支持されている。
上記態様により、トリマーユニット７８を外刃５の近傍に位置させて、両者でコンビ剃りを行える。コンビ剃り時には、肌面に倒れこんでいるひげをトリマーユニット７８で粗剃りしながら毛起こし、さらに起されたひげを内刃４および外刃５で直ちに切断できるので、コンビ剃りを効果的に行うことができる。また、トリマーユニット７８をコンビ剃り位置から後方に移動させたきわぞり位置では、トリマーユニット７８を単独で使用する場合に、内刃４および外刃５からなる刃部から離れているので、その刃部が邪魔にならず、使い勝手が向上する。トリマーユニット７８を、本体ケース１（操作体２０）に連結したトリマーホルダー１０１に対して往復移動可能に弾性支持すると、肌面の状況の変化に追随してトリマーユニット７８を進出させ、あるいは沈み込ませることができる。従って、コンビ剃り時に、トリマーユニット７８の切刃部分（トリマー用刃部）を肌面の凹凸に密着した状態で移動させて、ひげのコンビ剃りをさらに軽快に行うことができる。さらに、コンビ剃り時の肌面に先の切刃部分が過剰に押付けられて、肌面が荒れるのを解消できる。きわぞり位置においては、トリマーユニット７８はトリマーホルダー１０１に対して往復移動不可となっていることにより、きわぞり位置においてトリマーユニット７８の沈込みを規制して、もみあげ、口ひげ、顎ひげなどの整形をトリマーユニット７８で的確に行うことができる。
【００８７】
上記電気かみそりにおいて、
トリマーユニット７８と本体ケース１との間に、きわぞり位置においてトリマーユニット７８の往復移動を規制する移動ロック構造が設けられており、
移動ロック構造が、トリマーユニット７８のトリマーベース７９に設けた接当部１１７と、本体ケース１に設けたロック部１１８とを備えており、
きわぞり位置において先の接当部１１７をロック部１１８で受止めて、トリマーユニット７８の移動を規制することを特徴とする電気かみそり。
このように、トリマーユニット７８と本体ケース１との間に移動ロック構造を設けると、きわぞり位置においてトリマーユニット７８の沈込みを規制して、もみあげ、口ひげ、顎ひげなどの整形をトリマーユニット７８で的確に行うことができる。また、きわぞり位置において、トリマーベース７９に設けた接当部１１７を、操作体２０に設けたロック部１１８で受止めてトリマーユニット７８の沈込みを規制するので、フロートロック構造を簡素化できるうえ、トリマーユニット７８の沈込み動作を確実に規制できる。
【００８８】
上記電気かみそりにおいて、
きわぞり位置が、本体ケース１の軸線と略一致する起立位置となっており、
きわぞり位置において、固定トリマー刃８０および可動トリマー刃８１からなるトリマー用刃部の頂面が、外刃５と内刃４からなる刃部の頂面より上方に位置していることを特徴とする電気かみそり。
上記態様により、きわぞり位置において、トリマーユニット７８を単独で使用する場合に、内刃４および外刃５からなる刃部から上方にも離れているので、その刃部が邪魔にならず、より一層使い勝手が向上する。
【００８９】
上記電気かみそりにおいて、
本体ケース１とトリマーホルダー１０１との間に、きわぞり位置におけるトリマーユニット７８の前方傾動を規制する傾動ロック構造が設けられていることを特徴とする電気かみそり。
このように、本体ケース１とトリマーホルダー１０１との間に、きわぞり位置におけるトリマーユニット７８の前方傾動を規制する傾動ロック構造を設けると、トリマーユニット７８に前向きの外力が作用する場合でも、トリマーユニット７８が前方傾動しようとするのを傾動ロック構造で規制して、起立姿勢を維持し続けることができる。従って、もみあげ、口ひげ、顎ひげなどの整形をトリマーユニット７８で的確に行うことができる。
【００９０】
上記電気かみそりにおいて、
傾動ロック構造が、本体ケース１で上下スライド可能に支持されるロック体１２０と、ロック体１２０をロック付勢するロックばね１２１と、トリマーホルダー１０１に設けられてロック体１２０と係脱する係合部１２２と、ロック体１２０をロックばね１２１の付勢力に抗してロック解除操作する解除体１２３を含んで構成されていることを特徴とする電気かみそり。
このように、ロック体１２０と、ロックばね１２１と、ロック体１２０に対して係脱する係合部１２２と、解除体１２３などで傾動ロック構造を構成するので、解除体１２３を押下げ操作するだけで、ロック体１２０と係合部１２２の係合状態を簡単に解除して、トリマーユニット７８を前方傾動することができる。
【００９１】
（提案例４）  図１５ないし図１７は、提案例４に係る水洗い式の電気かみそりを示す。提案例４における前後、左右、上下とは、図１５に示す交差矢印と、各矢印の近傍に表記した前後、左右、上下の表示に従う。そこでは、本体ケース１の前面側に、中空ケース状のスライドノブ２０を上下スライド自在に配置し、その内部に不使用時のトリマーユニット７８を収容できるようにした。スライドノブ２０は、本体ケース１で上下スライド自在に支持される後側のノブベース１０５と、ノブベース１０５の前側に固定されるノブカバー１０６とで中空ケース状に構成してある。
【００９２】
トリマーユニット７８は、トリマーベース７９と、それぞれバリカン刃構造の固定トリマー刃８０および可動トリマー刃８１と、受動アーム１２７などで構成してあり、トリマーベース７９の上部左右に設けた連結軸９４がノブカバー１０６で回動自在に支持してある。これにより、トリマーユニット７８はスライドノブ２０に対して、図１５、図１７に示す不使用位置と、図１６に示す使用位置との間で部分回動できる。不使用位置において、トリマーユニット７８をノブカバー１０６に開口したトリマー窓１３０の内部に収納しておくために、連結軸９４の周りに配置したトリマーばね９５で、トリマーベース７９を不使用位置へ向かって回動付勢している。受動アーム１２７の突端には、伝動アーム８３が相対回動可能に連結してある。振動子１５の前側には、往復動力をトリマーユニット７８に出力するための駆動アーム９０が設けてある。
【００９３】
スライドノブ２０は、図１７（ａ）に示す待機位置と、図１７（ｂ）に示す第１作動位置と、図１６に示す第２作動位置との間を上下スライドでき、さらに待機位置と図１５に示す洗浄位置との間を上下スライドできる。待機位置と第１作動位置と第２作動位置との間の上下スライド動作を利用して、モーター９に対する給電状態を切換え、さらにトリマーユニット７８の駆動状態を切換えている。そのために、ノブベース１０５の下部内面に可動端子１２８を固定して、スライドノブ２０のスライド位置の違いによって、回路基板１２９に設けた固定端子（図示していない）を可動端子１２８で導通できるようにしている。詳しくは、スライドノブ２０を待機位置から第１作動位置に押上げスライド操作したとき、モーター９への給電状態をオンさせて、振動子１５の往復動力を内刃４に伝動している。このときの伝動アーム８３の受動ピン８９は、図１７（ｂ）に示すように、駆動アーム９０と係合していないので、振動子１５の往復動力がトリマーユニット７８に伝動することはない。
【００９４】
スライドノブ２０を第１作動位置からさらに押上げスライド操作すると、伝動アーム８３の受動ピン８９が駆動アーム９０と係合し、以後の上方スライドが規制される。スライドノブ２０は、さらに押上げ操作されて第２作動位置までスライド移動でき、このスライド動作によって、トリマーユニット７８が連結軸９４の周りに回動し、トリマー窓１３０の外へ突出して使用位置に切換わる。第２作動位置における可動端子１２８は、モーター９への給電状態をオンし続けているので、振動子１５の往復動力は、内刃４と可動トリマー刃８１に同時に伝動される。スライドノブ２０を第２作動位置から待機位置まで戻すと、モーター９への給電状態がオフされ、トリマーユニット７８はトリマーばね９５の付勢力で不使用位置へ戻される。
【００９５】
本体ケース１の前部上端には、洗浄開口６８がエルボ状に形成してある。スライドノブ２０が待機位置と、第１作動位置と、第２作動位置の各位置にあるとき、洗浄開口６８は閉止蓋部（蓋体）１０８で常に閉止されている。閉止蓋部１０８はノブベース１０５のスライド壁が兼ねている。スライドノブ２０を待機位置から洗浄位置へ押下げ操作すると、図１５に示すように、閉止蓋部１０８を洗浄開口６８よりも下側へ移動させて、洗浄開口６８を開放することができる。この状態で洗浄開口６８から毛屑収容室Ｓ内へ洗浄水を導入して、毛屑収容室Ｓ内の毛屑や皮脂を洗い流すことができる。なお、必要があれば外刃ホルダー６を本体ケース１から分離して、その内面や外刃５の洗浄を行うことができる。
【００９６】
上記提案例、実施例においては、装着部１９を含むかみそりヘッド２と本体ケース１とが固定されているが、装着部１９を含むかみそりヘッド２が本体ケース１に対して上下移動可能かつ、左右傾動可能に設けられていてもよい。また、上記提案例、実施例においては、外刃ホルダー６に対して１つの外刃５を有する構成であるが、外刃ホルダー６の内部に外刃５を逆Ｕ字状に保形する外刃枠を別途複数設けて、複数の外刃５を外刃ホルダー６に上下動可能に装着した構成であってもよい。また、本発明は、上記の各実施形態のような往復駆動方式の電気かみそりの適用に限られるものではなく、内刃が横軸まわりに回転する回転式電気かみそりや内刃が縦軸まわりに回転する回転式電気かみそりにも適用できる。
【符号の説明】
【００９７】
１  本体ケース
４  内刃
５  外刃
６  外刃ホルダー
Ｓ  毛屑収容室
２０  操作体（本体ケース）
６８  洗浄開口
６９，１０８  蓋体
７８  トリマーユニット
９４  連結軸
１０１  トリマーホルダー
１０４  フロートばね
１１７  接当部
１１８  ロック部
１２０  ロック体
１２１  ロックばね
１２２  係合部
１２３  解除体
【図１】
2015173796.tif 000003
【図２】
2015173796.tif 000004
【図３】
2015173796.tif 000005
【図４】
2015173796.tif 000006
【図５】
2015173796.tif 000007
【図６】
2015173796.tif 000008
【図７】
2015173796.tif 000009
【図８】
2015173796.tif 000010
【図９】
2015173796.tif 000011
【図１０】
2015173796.tif 000012
【図１１】
2015173796.tif 000013
【図１２】
2015173796.tif 000014
【図１３】
2015173796.tif 000015
【図１４】
2015173796.tif 000016
【図１５】
2015173796.tif 000017
【図１６】
2015173796.tif 000018
【図１７】
2015173796.tif 000019
【図１８】
2015173796.tif 000020